(57)【特許請求の範囲】
【請求項１】
シート状物を１枚づつ、又は、複数枚重ねにして搬送する折胴と、前記折胴に保持された前記シート状物をくわえるくわえ保持手段を有するくわえ胴と、前記くわえ胴と対接し、シート状物を保持するくわえ爪装置を円周方向に複数箇所備え、回動自在に支持された第１の搬送胴と、前記くわえ胴と対接し、シート状物を保持するくわえ爪装置を備え、回動自在に支持された第２の搬送胴とを備え、１枚づつ搬送された前記シート状物を前記折胴と前記くわえ胴との対接位置にてくわえ保持手段を動作させて前記くわえ胴に保持させた後、前記くわえ胴の前記くわえ保持手段から前記第１の搬送胴のくわえ爪装置にのみ渡す、又は前記くわえ胴のくわえ保持手段から前記第１の搬送胴のくわえ爪装置及び前記第２の搬送胴のくわえ爪装置とに渡すように搬送経路を切り替えると共に、前記シート状物を複数枚重ねにして搬送する場合、前記折胴と前記くわえ胴との対接位置にてくわえ保持手段を動作させたり、させなかったりする切替手段を備えると共に、前記くわえ保持手段は、第１のカムフォロアを支持する第１のくわえ保持手段と、第２のカムフォロアを支持する第２のくわえ保持手段とで構成されており、前記切替手段は、フレーム側に固定された第１のメインカムと、フレーム側に対して移動可能に支持された第２のメインカムと、フレーム側に固定されたサブカムとで構成すると共に、前記第１のメインカムと前記第１のカムフォロアとの協働より前記第１のくわえ保持手段が動作すると共に、前記第２のメインカム及び前記サブカムと前記第２のカムフォロアとの協働より前記第２のくわえ保持手段が動作することを特徴とするシート状物の搬送経路切替装置。
【請求項２】
前記第１のメインカムは、前記シート状物を前記折胴から受け取り前記第１の搬送胴に渡すべく前記第１のくわえ保持手段を動作させるカム曲線を有し、前記第２のメインカムは、前記第２のくわえ保持手段を受け取り動作させる受け取り動作用カム曲線と、前記第２のくわえ保持手段を開放動作させる開放動作用カム曲線とを有し、前記第２のメインカムは、前記折胴と前記くわえ胴との対接位置にて前記第２のくわえ保持手段を受け取り動作させ、前記くわえ胴と前記第１の搬送胴との対接位置にて前記第２のくわえ保持手段を開放動作させる位置と、前記折胴と前記くわえ胴との対接位置にて前記第２のくわえ保持手段を受け取り動作させ、前記くわえ胴と前記第２の搬送胴との対接位置にて前記第２のくわえ保持手段を開放動作させる位置と、前記折胴と前記くわえ胴との対接位置にて前記第２のくわえ保持手段を受け取り動作させない位置と、に移動可能に支持されており、前記サブカムは、前記第２のメインカムを補って前記シート状物を前記折胴から前記第１の搬送胴へ搬送すべく前記第２のくわえ保持手段を動作させるカム曲線を有することを特徴とする請求項１記載のシート状物の搬送経路切替装置。
【請求項３】
前記第１のメインカムは、前記シート状物を前記折胴から受け取り前記第１の搬送胴に渡すべく前記第１のくわえ保持手段を動作させるカム曲線を有し、前記第２のメインカムは、第１及び第２の高部と、第１及び第２の低部とを備え、前記第２のくわえ保持手段は前記高部で受け取り動作を行い、前記低部で開放動作を行うよう構成され、前記第２のメインカムは、前記折胴と前記くわえ胴との対接位置にて前記第１の高部により前記第２のくわえ保持手段を受け取り動作させ、前記くわえ胴と前記第１の搬送胴との対接位置にて前記第２の低部により前記第２のくわえ保持手段を開放動作させる位置と、前記折胴と前記くわえ胴との対接位置にて前記第２の高部により前記第２のくわえ保持手段を受け取り動作させ、前記くわえ胴と前記第２の搬送胴との対接位置にて前記第２の低部により前記第２のくわえ保持手段を開放動作させる位置と、前記折胴と前記くわえ胴との対接位置にて前記第１の低部により前記第２のくわえ保持手段を受け取り動作させない位置と、に移動可能に支持されており、前記サブカムは、前記第２のメインカムの前記第１の低部を補って前記シート状物を前記折胴から前記第１の搬送胴へ搬送すべく前記第２のくわえ保持手段を動作させるカム曲線を有することを特徴とする請求項１記載のシート状物の搬送経路切替装置。
【発明の詳細な説明】
【０００１】
【発明の属する技術分野】
本発明は、輪転印刷機の折機等におけるシート状物の搬送経路切替装置に関するものである。
【０００２】
【従来の技術】
巻紙輪転印刷機の折機において、コレクト折やノンコレクト折等の折仕様を切り替えたり（特許第２５６６２６５号公報等参照）、ノンコレクト折時に平行折り二段排紙や平行折り合流排紙等の搬送経路を切り替えたり（実公平７−５６２８３号公報等参照）することは一般的である。
【０００３】
この種折機として、例えば図７に示すようなものがある。この折機では、断裁胴１００と折胴１０１との間に送り込まれたウェブＷは、断裁胴１００の断裁刃１０２によって所定の寸法に断裁されると共に、折胴１０１の針１０３に保持されて折胴１０１の下側半周面に巻き付けられる。
【０００４】
針１０３に保持された断裁ウェブは、次に折胴１０１の差込ナイフ１０４との協働によってくわえ胴１０５のくわえ板１０６にくわえられて半折りされながら折丁となってくわえ胴１０５の上側周面に添接され、さらにこの半折り折丁はくわえ板１０６から減速胴１０７のくわえ爪１０８にくわえ替えられる。
【０００５】
その後、折丁は減速胴１０７から上渡胴１０９と下渡胴１１０のくわえ爪１１１，１１２に交互に振り分けられて平行折り二段排紙され、それぞれ上チョッパ折装置１１３及び下チョッパ折装置１１４によってチョッパ折りされる。
【０００６】
尚、図中１１５は排紙用の羽根車、１１６は排紙用のコンベアであり、１１７は下渡胴１１０の回転位相を変更する位相変更手段で、上渡胴１０９での平行折り合流排紙時に下渡胴１１０のくわえ爪１１２と減速胴１０７のくわえ爪１０８とを非対向状態にして前記くわえ爪１１２の折丁への干渉を回避するものである。
【０００７】
そして、前記平行折り合流排紙時には、減速胴１０７での上，下渡胴１０９，１１０への折丁の振り分けを、くわえ爪１０８開閉用の図示しないサブカムを回動させることで、爪開き位置を変更して上渡胴１０９にのみ折丁を渡している。
【０００８】
また、コレクト折時には、折胴１０１にて２部重ねるため、１回折毎に使用しないナイフ軸（折胴１０１側）とくわえ板軸（くわえ胴１０５側）がある。差込ナイフ１０４とくわえ板１０６との直接接触による摩耗・破損を回避するため、くわえ板１０６（くわえ板軸）の閉じ動作を図示しないサブカムを回動させることでずらしている。
【０００９】
【発明が解決しようとする課題】
ところで、上述したような従来の折機にあっては、胴配列が断裁胴１００，折胴１０１，くわえ胴１０５，減速胴１０７，上渡胴１０９及び下渡胴１１０の６胴構成であるため、胴数増大で折機が大型化するという問題点があった。
【００１０】
また、折仕様切り替えや搬送経路切り替えを可能とするためにくわえ胴１０５と減速胴１０７とに回動可能なサブカムを設けているため、その切替軸（カムを回動する機構）が２軸となり、切替機構の構造が複雑となって切替時間が増大すると共に部品点数も増大するという問題点があった。
【００１１】
そこで、本発明の目的は、胴数削減により装置の小型化が図れると共に、搬送経路切替構造の簡素化により切替時間の短縮と部品点数の削減が図れるシート状物の搬送経路切替装置を提供することにある。
【００１２】
【課題を解決するための手段】
上記目的を達成するための本発明の構成は、シート状物を１枚づつ、又は、複数枚重ねにして搬送する折胴と、前記折胴に保持された前記シート状物をくわえるくわえ保持手段を有するくわえ胴と、前記くわえ胴と対接し、シート状物を保持するくわえ爪装置を円周方向に複数箇所備え、回動自在に支持された第１の搬送胴と、前記くわえ胴と対接し、シート状物を保持するくわえ爪装置を備え、回動自在に支持された第２の搬送胴とを備え、１枚づつ搬送された前記シート状物を前記折胴と前記くわえ胴との対接位置にてくわえ保持手段を動作させて前記くわえ胴に保持させた後、前記くわえ胴の前記くわえ保持手段から前記第１の搬送胴のくわえ爪装置にのみ渡す、又は前記くわえ胴のくわえ保持手段から前記第１の搬送胴のくわえ爪装置及び前記第２の搬送胴のくわえ爪装置とに渡すように搬送経路を切り替えると共に、前記シート状物を複数枚重ねにして搬送する場合、前記折胴と前記くわえ胴との対接位置にてくわえ保持手段を動作させたり、させなかったりする切替手段を備えると共に、前記くわえ保持手段は、第１のカムフォロアを支持する第１のくわえ保持手段と、第２のカムフォロアを支持する第２のくわえ保持手段とで構成されており、前記切替手段は、フレーム側に固定された第１のメインカムと、フレーム側に対して移動可能に支持された第２のメインカムと、フレーム側に固定されたサブカムとで構成すると共に、前記第１のメインカムと前記第１のカムフォロアとの協働より前記第１のくわえ保持手段が動作すると共に、前記第２のメインカム及び前記サブカムと前記第２のカムフォロアとの協働より前記第２のくわえ保持手段が動作することを特徴とする。
【００１４】
また、前記第１のメインカムは、前記シート状物を前記折胴から受け取り前記第１の搬送胴に渡すべく前記第１のくわえ保持手段を動作させるカム曲線を有し、前記第２のメインカムは、前記第２のくわえ保持手段を受け取り動作させる受け取り動作用カム曲線と、前記第２のくわえ保持手段を開放動作させる開放動作用カム曲線とを有し、前記第２のメインカムは、前記折胴と前記くわえ胴との対接位置にて前記第２のくわえ保持手段を受け取り動作させ、前記くわえ胴と前記第１の搬送胴との対接位置にて前記第２のくわえ保持手段を開放動作させる位置と、前記折胴と前記くわえ胴との対接位置にて前記第２のくわえ保持手段を受け取り動作させ、前記くわえ胴と前記第２の搬送胴との対接位置にて前記第２のくわえ保持手段を開放動作させる位置と、前記折胴と前記くわえ胴との対接位置にて前記第２のくわえ保持手段を受け取り動作させない位置と、に移動可能に支持されており、前記サブカムは、前記第２のメインカムを補って前記シート状物を前記折胴から前記第１の搬送胴へ搬送すべく前記第２のくわえ保持手段を動作させるカム曲線を有することを特徴とする。
【００１５】
また、前記第１のメインカムは、前記シート状物を前記折胴から受け取り前記第１の搬送胴に渡すべく前記第１のくわえ保持手段を動作させるカム曲線を有し、前記第２のメインカムは、第１及び第２の高部と、第１及び第２の低部とを備え、前記第２のくわえ保持手段は前記高部で受け取り動作を行い、前記低部で開放動作を行うよう構成され、前記第２のメインカムは、前記折胴と前記くわえ胴との対接位置にて前記第１の高部により前記第２のくわえ保持手段を受け取り動作させ、前記くわえ胴と前記第１の搬送胴との対接位置にて前記第２の低部により前記第２のくわえ保持手段を開放動作させる位置と、前記折胴と前記くわえ胴との対接位置にて前記第２の高部により前記第２のくわえ保持手段を受け取り動作させ、前記くわえ胴と前記第２の搬送胴との対接位置にて前記第２の低部により前記第２のくわえ保持手段を開放動作させる位置と、前記折胴と前記くわえ胴との対接位置にて前記第１の低部により前記第２のくわえ保持手段を受け取り動作させない位置と、に移動可能に支持されており、前記サブカムは、前記第２のメインカムの前記第１の低部を補って前記シート状物を前記折胴から前記第１の搬送胴へ搬送すべく前記第２のくわえ保持手段を動作させるカム曲線を有することを特徴とする。
【００１６】
【発明の実施の形態】
以下、本発明に係るシート状物の搬送経路切替装置を実施例により図面を用いて詳細に説明する。
【００１７】
［実施例］
図１は本発明の一実施例を示す輪転印刷機の折機の胴配列図、図２は同じくカム機構の構造図、図３は同じくカムの説明図、図４は同じく平行折り二段排紙時の動作説明図、図５は同じく平行折り合流排紙時の動作説明図、図６は同じくコレクト折時の動作説明図である。
【００１８】
図１に示すように、印刷後、冷却乾燥されて折機の入紙部へ導かれたウェブＷの進行方向には、このウェブＷを所定の寸法に断裁、折紙する平行折装置１が設けられており、この平行折装置１は、図に矢印で示す方向に回転する断裁胴２、折胴３、くわえ胴４を備えている。
【００１９】
前記断裁胴２と折胴３との間に送り込まれたウェブＷは、断裁胴２の図示しない断裁刃によって所定の寸法に断裁されると共に、折胴３の図示しない針に保持されて折胴３の下側周面に巻き付けられる。前記針に保持された断裁ウェブは、次に折胴３の図示しない差込みナイフとの協働によってくわえ胴４のくわえ板５ａ〜５ｄ（くわえ保持手段で、周面を４等分する位置に配されたくわえ板軸６ａ〜６ｄの軸方向に多数設けられる）にくわえられて半折りされながら折丁（シート状物）となって上側周面に添接される。
【００２０】
前記くわえ胴４の下流側には、上減速胴（第１の搬送胴）７と下減速胴（第２の搬送胴）８とが対接され、上減速胴７の下流側には上チョッパ折装置９が設けられ、下減速胴８の下流側には下チョッパ折装置１０が設けられている。くわえ胴４、上減速胴７及び下減速胴８は同一回転数で回転するように歯車機構（図示せず）で連結されている。
【００２１】
前記上減速胴７の周面を４等分する位置に配されたくわえ爪軸１１ａ〜１１ｄの軸方向には多数のくわえ爪装置（以下、くわえ爪という）１２ａ〜１２ｄが設けられ、下減速胴８の周面を２等分する位置に配されたくわえ爪軸１３ｂ，１３ｄの軸方向には多数のくわえ爪装置（以下、くわえ爪という）１４ｂ，１４ｄが設けられる。前記上減速胴７のくわえ爪１２ａ〜１２ｄはくわえ胴４のくわえ板５ａ〜５ｄと順次対向し、下減速胴８のくわえ爪１４ｂ，１４ｄはくわえ胴４のくわえ板５ｂ，５ｄとだけそれぞれ対向するようになっている。尚、図１中１５は排紙用の羽根車、１６は排紙用のコンベアである。
【００２２】
図２に示すように、前記くわえ胴４にはカム機構（切替手段）２０が設けられ、１枚づつ搬送された前記折丁を折胴３とくわえ胴４との対接位置にてくわえ板５ａ〜５ｄを動作させて前記くわえ胴４に保持させた後、該くわえ胴４のくわえ板５ａ〜５ｄから前記上減速胴７のくわえ爪１２ａ〜１２ｄにのみ渡す、又は前記くわえ胴４のくわえ板５ａ〜５ｄから前記上減速胴７のくわえ爪１２ａ，１２ｃ及び前記下減速胴８のくわえ爪１４ｂ，１４ｄとに渡して搬送経路を切り替えると共に、前記折丁を複数枚重ねにして搬送する場合、前記折胴３と前記くわえ胴４との対接位置にて前記くわえ板５ａ〜５ｄを動作させたり、させなかったりするようになっている。
【００２３】
前記カム機構２０は、図３にも示すように、印刷機フレーム２１の軸受２２端面にボルト２３で固定された円板状の第１メインカム２４と、該第１メインカム２４と隣接して同カムにボルト２５で結合された円弧板状のサブカム２６と、該サブカム２６と隣接して前記軸受２２上に歯車２７ａ，２７ｂを介して回動可能に支持された円板状の第２メインカム２８とを備える。尚、図２中２９は第２メインカム２８を回動させるハンドル、３０は第２メインカム２８を所定の回動位置で固定するクランプである。
【００２４】
そして、前記くわえ板軸６ａ，６ｃ（第１のくわえ保持手段）の軸端に取り付けたカムフォロア３１（第１のカムフォロア）が第１メインカム２４に従動し（即ち、くわえ板軸６ａ，６ｃ上のくわえ板５ａ，５ｃが第１メインカム２４のくわえ板開き用曲線２４ａ及びくわえ板閉じ用曲線２４ｂにより開閉動作する）、前記くわえ板軸６ｂ，６ｄ（第２のくわえ保持手段）の軸端に取り付けたカムフォロア３２（第２のカムフォロア）が第２メインカム２８とサブカム２６とに従動している（即ち、くわえ板軸６ｂ，６ｄ上のくわえ板５ｂ，５ｄが第２メインカム２８のくわえ板開き用曲線（開放動作用カム曲線、第１及び第２の低部）２８ａ1 ，２８ａ2 及びくわえ板閉じ用曲線（受け取り動作用カム曲線、第１及び第２の高部）２８ｂ1 ，２８ｂ2 とサブカム２６のくわえ板閉じ用曲線２６ａとにより開閉動作する）。
【００２５】
尚、図示しないが、上減速胴７には、前述した位相変更手段又はカム機構が設けられ、平行折り二段排紙時にくわえ胴４のくわえ板５ｂ，５ｄと上減速胴７のくわえ爪１２ｂ，１２ｄとを非対向状態にして前記くわえ爪１２ｂ，１２ｄの折丁への干渉を回避するようになっている。
【００２６】
このように構成されるため、平行折り二段排紙（上，下二段の二系列にて排紙）の時は、図４に示すように、固定の第１メインカム２４及びサブカム２６に対して第２メインカム２８を回動させて長い方のくわえ板閉じ用曲線２８ｂ1 を上減速胴７と下減速胴８との間に位置させる。
【００２７】
これにより、くわえ胴４のくわえ板軸６ａ，６ｃは第１メインカム２４により開閉動作するため、折胴３〜くわえ胴４間でくわえ板閉じ動作を行い、くわえ胴４〜上減速胴７間でくわえ板開き動作を行って、折丁を上減速胴７のくわえ爪軸１１ａ，１１ｃに渡す。
【００２８】
一方、くわえ胴４のくわえ板軸６ｂ，６ｄは第２メインカム２８及びサブカム２６により開閉動作するため、折胴３〜くわえ胴４間で短い方のくわえ板閉じ用曲線（第２の高部）２８ｂ2 によりくわえ板閉じ動作を行い、くわえ胴４〜下減速胴８間でくわえ板開き用曲線（第２の低部）２８ａ2 によりくわえ板開き動作を行って、折丁を下減速胴８のくわえ爪軸１３ｂ，１３ｄに渡す。
【００２９】
このようにして、くわえ胴４のくわえ板軸６ａ，６ｃの折丁は、上減速胴７のくわえ爪軸１１ａ，１１ｃに渡され、上段の上チョッパ折装置９へ搬送され、ここでチョッパ折りされて排紙される。一方、くわえ胴４のくわえ板軸６ｂ，６ｄの折丁は、下減速胴８のくわえ爪軸１３ｂ，１３ｄに渡され、下段の下チョッパ折装置１０へ搬送され、ここでチョッパ折りされて排紙される。
【００３０】
平行折り合流排紙（上段の一系列にて排紙）の時は、図５に示すように、固定の第１メインカム２４及びサブカム２６に対して第２メインカム２８を回動させて長い方のくわえ板閉じ用曲線２８ｂ1 を折胴３と上減速胴７との間に位置させる。
【００３１】
これにより、くわえ胴４のくわえ板軸６ａ，６ｃは第１メインカム２４により開閉動作するため、前述したと同様に、折胴３〜くわえ胴４間でくわえ板閉じ動作を行い、くわえ胴４〜上減速胴７間でくわえ板開き動作を行って、折丁を上減速胴７のくわえ爪軸１１ａ，１１ｃに渡す。
【００３２】
一方、くわえ胴４のくわえ板軸６ｂ，６ｄは回動した第２メインカム２８及びサブカム２６により開閉動作するため、折胴３〜くわえ胴４間で長い方のくわえ板閉じ用曲線（第１の高部）２８ｂ1 によりくわえ板閉じ動作を行い、回動した第２メインカム２８のくわえ板開き用曲線（第２の低部）２８ａ2 によりくわえ板開き動作がくわえ胴４〜下減速胴８間からくわえ胴４〜上減速胴７間へと変わり、折丁を上減速胴７のくわえ爪軸１１ｂ，１１ｄに渡す。
【００３３】
このようにして、くわえ胴４のくわえ板軸６ａ〜６ｄの折丁は、上減速胴７のくわえ爪軸１１ａ〜１１ｄに渡され、全て上段の上チョッパ折装置９へ搬送され、ここでチョッパ折りされて排紙される。
【００３４】
コレクト折時は、図６に示すように、固定の第１メインカム２４及びサブカム２６に対して第２メインカム２８を回動させて長い方のくわえ板閉じ用曲線２８ｂ1 を前述した折胴３〜上減速胴７間の位置から下流側へ若干ずらす。
【００３５】
これにより、くわえ胴４のくわえ板軸６ａ，６ｃは第１メインカム２４により開閉動作するため、前述したと同様に、折胴３〜くわえ胴４間でくわえ板閉じ動作を行い、くわえ胴４〜上減速胴７間でくわえ板開き動作を行って、折丁を上減速胴７のくわえ爪軸１１ａ，１１ｃに渡す。尚、折丁はくわえ胴４のくわえ板軸６ｂ，６ｄでコレクトされるため、くわえ胴４のくわえ板軸６ａ，６ｃ〜上減速胴７のくわえ爪軸１１ａ，１１ｃ間でのみ搬送される。
【００３６】
一方、くわえ胴４のくわえ板軸６ｂ，６ｄは第２メインカム２８の前述したずれ（回動）により折胴３〜くわえ胴４間でのくわえ板閉じ動作がくわえ板開き用曲線（第１の低部）２８ａ1 によりずれるため、折胴３の図示しない差込みナイフとくわえ胴４のくわえ爪５ｂ，５ｄの干渉が回避され、差込みナイフ及びくわえ爪５ｂ，５ｄの摩耗・破損が防止される。
【００３７】
このようにして、コレクト折された折丁は、上減速胴７のくわえ爪軸１１ａ，１１ｃに渡され、全て上段の上チョッパ折装置９を経由して（チョッパ折りされずに）排紙される。
【００３８】
このように本実施例では、シリンダ構成を断裁胴，折胴，くわえ胴，減速胴，第１渡胴，第２渡胴から構成される６胴型（図７参照）から断裁胴２，折胴３，くわえ胴４，上減速胴７，下減速胴８から構成される５胴型にしたので、胴数削減により装置の小型化が図れる。折仕様切替部の構成がカム機構２０により簡素化され、部品点数も削減できるので、切替時間の短縮と製造コストが低減される。
【００３９】
尚、本発明は上記実施例に限定されず、本発明の要旨を逸脱しない範囲で、各種変更が可能である。例えば、くわえ胴のくわえ板（軸）を円周方向に２箇所，上流側のくわえ爪（軸）を円周方向に２箇所又は１箇所，下流側のくわえ爪（軸）を円周方向に１箇所又は２箇所としても良く、さらに、くわえ板（軸）及び上，下流側のくわえ爪（軸）が偶数箇所備えられていても良い。また、くわえ板〜くわえ爪の折丁受渡しをくわえ爪〜くわえ爪の折丁受渡しに変更しても良い。また、くわえ胴４におけるくわえ板軸６ｂ，６ｄの軸端に取り付けたカムフォロア３２を二個に分割して第２メインカム２８とサブカム２６とにそれぞれ個別に従動させるようにしても良い。
【００４０】
【発明の効果】
以上説明したように請求項１の発明によれば、シート状物を１枚づつ、又は、複数枚重ねにして搬送する折胴と、前記折胴に保持された前記シート状物をくわえるくわえ保持手段を有するくわえ胴と、前記くわえ胴と対接し、シート状物を保持するくわえ爪装置を円周方向に複数箇所備え、回動自在に支持された第１の搬送胴と、前記くわえ胴と対接し、シート状物を保持するくわえ爪装置を備え、回動自在に支持された第２の搬送胴とを備え、１枚づつ搬送された前記シート状物を前記折胴と前記くわえ胴との対接位置にてくわえ保持手段を動作させて前記くわえ胴に保持させた後、前記くわえ胴の前記くわえ保持手段から前記第１の搬送胴のくわえ爪装置にのみ渡す、又は前記くわえ胴のくわえ保持手段から前記第１の搬送胴のくわえ爪装置及び前記第２の搬送胴のくわえ爪装置とに渡すように搬送経路を切り替えると共に、前記シート状物を複数枚重ねにして搬送する場合、前記折胴と前記くわえ胴との対接位置にてくわえ保持手段を動作させたり、させなかったりする切替手段を備えると共に、前記くわえ保持手段は、第１のカムフォロアを支持する第１のくわえ保持手段と、第２のカムフォロアを支持する第２のくわえ保持手段とで構成されており、前記切替手段は、フレーム側に固定された第１のメインカムと、フレーム側に対して移動可能に支持された第２のメインカムと、フレーム側に固定されたサブカムとで構成すると共に、前記第１のメインカムと前記第１のカムフォロアとの協働より前記第１のくわえ保持手段が動作すると共に、前記第２のメインカム及び前記サブカムと前記第２のカムフォロアとの協働より前記第２のくわえ保持手段が動作することを特徴とするので、胴数削減により装置の小型化が図れると共に、搬送経路切替構造の簡素化により切替時間の短縮と部品点数の削減が図れると共に、簡単な構造の切替手段により精度良くくわえ保持手段の動作切替えが行える。
【００４２】
また、請求項２の発明によれば、前記第１のメインカムは、前記シート状物を前記折胴から受け取り前記第１の搬送胴に渡すべく前記第１のくわえ保持手段を動作させるカム曲線を有し、前記第２のメインカムは、前記第２のくわえ保持手段を受け取り動作させる受け取り動作用カム曲線と、前記第２のくわえ保持手段を開放動作させる開放動作用カム曲線とを有し、前記第２のメインカムは、前記折胴と前記くわえ胴との対接位置にて前記第２のくわえ保持手段を受け取り動作させ、前記くわえ胴と前記第１の搬送胴との対接位置にて前記第２のくわえ保持手段を開放動作させる位置と、前記折胴と前記くわえ胴との対接位置にて前記第２のくわえ保持手段を受け取り動作させ、前記くわえ胴と前記第２の搬送胴との対接位置にて前記第２のくわえ保持手段を開放動作させる位置と、前記折胴と前記くわえ胴との対接位置にて前記第２のくわえ保持手段を受け取り動作させない位置と、に移動可能に支持されており、前記サブカムは、前記第２のメインカムを補って前記シート状物を前記折胴から前記第１の搬送胴へ搬送すべく前記第２のくわえ保持手段を動作させるカム曲線を有することを特徴とするので、請求項２の発明と同様の作用・効果が得られる。
【００４３】
また、請求項３の発明によれば、前記第１のメインカムは、前記シート状物を前記折胴から受け取り前記第１の搬送胴に渡すべく前記第１のくわえ保持手段を動作させるカム曲線を有し、前記第２のメインカムは、第１及び第２の高部と、第１及び第２の低部とを備え、前記第２のくわえ保持手段は前記高部で受け取り動作を行い、前記低部で開放動作を行うよう構成され、前記第２のメインカムは、前記折胴と前記くわえ胴との対接位置にて前記第１の高部により前記第２のくわえ保持手段を受け取り動作させ、前記くわえ胴と前記第１の搬送胴との対接位置にて前記第２の低部により前記第２のくわえ保持手段を開放動作させる位置と、前記折胴と前記くわえ胴との対接位置にて前記第２の高部により前記第２のくわえ保持手段を受け取り動作させ、前記くわえ胴と前記第２の搬送胴との対接位置にて前記第２の低部により前記第２のくわえ保持手段を開放動作させる位置と、前記折胴と前記くわえ胴との対接位置にて前記第１の低部により前記第２のくわえ保持手段を受け取り動作させない位置と、に移動可能に支持されており、前記サブカムは、前記第２のメインカムの前記第１の低部を補って前記シート状物を前記折胴から前記第１の搬送胴へ搬送すべく前記第２のくわえ保持手段を動作させるカム曲線を有することを特徴とするので、請求項２の発明と同様の作用・効果が得られる。
【図面の簡単な説明】
【図１】本発明の一実施例を示す輪転印刷機の折機の胴配列図である。
【図２】同じくカム機構の構造図である。
【図３】同じくカムの説明図である。
【図４】同じく平行折り二段排紙時の動作説明図である。
【図５】同じく平行折り合流排紙時の動作説明図である。
【図６】同じくコレクト折時の動作説明図である。
【図７】従来の輪転印刷機の折機の胴配列図である。
【符号の説明】
１  平行折装置
２  断裁胴
３  折胴
４  くわえ胴
５ａ〜５ｄ  くわえ板
６ａ〜６ｄ  くわえ板軸
７  上減速胴
８  下減速胴
９  上チョッパ折装置
１０  下チョッパ折装置
１１ａ〜１１ｄ  くわえ爪軸
１２ａ〜１２ｄ  くわえ爪
１３ａ〜１３ｄ  くわえ爪軸
１４ａ〜１４ｄ  くわえ爪
１５  羽根車
１６  コンベア１６
２０  カム機構
２１  印刷機フレーム
２２  軸受
２３  ボルト
２４  第１メインカム
２４ａ  くわえ板開き用曲線
２４ｂ  くわえ板閉じ用曲線
２５  ボルト
２６  サブカム
２６ａ  くわえ板閉じ用曲線
２７ａ，２７ｂ  歯車
２８  第２メインカム
２８ａ1 ，２８ａ2   くわえ板開き用曲線
２８ｂ1 ，２８ｂ2   くわえ板閉じ用曲線
２９  ハンドル
３０  クランプ
３１  カムフォロア
３２  カムフォロア
【図１】
0004266069.tif 000002
【図２】
0004266069.tif 000003
【図３】
0004266069.tif 000004
【図４】
0004266069.tif 000005
【図５】
0004266069.tif 000006
【図６】
0004266069.tif 000007
【図７】
0004266069.tif 000008